(57)【要約】      （修正有）【課題】身体障害者の入浴装置においては装置が従来の大がかりなもの又器具の出し入れに労力の大変かかるものが多かった。又、近頃賃貸住宅（公営、私営）が多くなり転居に際して復元のための費用かかさむと云う問題を解決する入浴装置の提供。【解決手段】入浴面積、湯量を少しでも多く。操作簡単、労力負担も少なく、設備も他に比べて悪くない。掃除もしやすい、浴槽内の余り重要でない場所四隅のＲ部に出来るだけ近く４本のねじ軸７Ａ、７Ｂ、７Ｂ、１３を連結させ同時に正転、逆転させそのねじに特殊角ナット８Ａ、８Ｂ、８Ｃ、８Ｃが組み込まれている４本のパイプ９Ａ、９Ａ、９Ｂ、９Ｂが四隅を形成しその上に人が乗る樹脂の板が上がり下がりする装置である。機械部品はステンレス、アルミ湯に強いオイレスメタル、硬質ゴム等で市販品を使用することが多い。【選択図】図１
0003121280.tif 000002
【実用新案登録請求の範囲】
【請求項１】
浴槽４隅に１本ずつ立設されねじ軸に上下移動可能に螺合された特殊角ナットと、１方端に右ねじが他方端に左ねじが形成され上記特殊角ナットにねじ止めされた連結調整パイプと、その上に設けられ身体障害者を乗せる板を備えるようにしたことを特徴とする身体障害者の入浴装置。
【請求項２】
前記ねじ軸の下方端には、それぞれのねじ軸を正逆回転可能に支承する下方軸受け金具を嵌入し、これらねじが形成された連結調整パイプを設けて前記連結調整パイプを前記下方軸受け金具にねじ止めすることで前記ねじ軸を所定位置に位置決めするようにした請求項１に記載の身体障害者の入浴装置。
【請求項３】
前記ねじ軸の下方端近傍で前記下方軸受け金具のそれぞれの上方にスプロケットを止着してこれらのスプロケットをローラーチェーンで連結し、前記ねじ軸の１本を正逆回転させることで４本のねじ軸を連動させて正逆回転させるようにした請求項１または２に記載の身体障害者の入浴装置。
【考案の詳細な説明】
【技術分野】
【０００１】本考案は身体障害者の入浴に関する物である。
【背景技術】
【０００２】従来の身体障害者の入浴装置としては、例えは特許文献によれば高さを変えられる浴槽（１）と高さが固定された中板（２）からなり動力で浴槽（１）を上下させる。その結果中板（２）は湯中に沈んだり、水面上にでたりする。入浴者は中板（２）に乗り湯につかるものがある。【０００３】また、特許文献２によれば浴室の周壁上端部に固定枠を取り付け、その固定枠内に支持機を十文字に配置してそれぞれの端部を継ぎ手で固定枠に接続し、その指示機の交差位置にリフト支持部を設け前記入浴補助リフトの上端部を固定した。固定枠は枠機とコーナー機と枠機間に配置し左右お互いに逆ねじのねじ部を有する張り用ボルトと張り用ボルトを覆うカバーとから構成したものがある。【０００４】
【特許文献１】  特開２００１−１７０１３０号公報
【特許文献２】  特開２００３−０７０８６９号公報
【考案の開示】
【考案が解決しようとする課題】
【０００５】上記背景技術で述べた装置は住宅の浴室の改変を必要とし装置は大変大がかりになり装置費用も過大となる問題があった。また賃貸住宅の場合は復元して空け渡さなければならないという問題があった。
【課題を解決するための手段】
【０００６】浴槽４隅に１本ずつ立設されたねじ軸に上下移動可能に螺合された特殊角ナットと、１方端に右ねじが他方端に左ねじが形成され上記特殊角ナットにねじ止めされた連結調整パイプとその上に設けられた身体障害者を乗せる板とを備えるようにしたものである。【０００７】また、前記ねじ軸の下方端にはそれぞれのねじ軸を正逆回転可能に支承する下方軸受け金具を嵌入し、これらの下方軸受け金具との間に一方端に右ねじが他方端に連結調整パイプを前記下方軸受け金具にねじ止めすることで、前記ねじ軸を所定位置に位置決めするようにしたものである。【０００８】また、前記ねじ軸の下方端近傍で前記下方軸受け金具のそれぞれの上方にスプロケットを止着してこれらのスプロケットをローラーチェーンで連結し前記ねじ軸の１本を正逆回転させることで４本のねじ軸を連動させて正逆回転させるようにしたものである。
【考案の効果】
【０００９】市販されている浴槽は多種多様であるが上記の用に４隅にねじ軸を立設して身体障害者を乗せる板を上下移動するようにしたので十分対応できる。【００１０】構成も浴槽内壁にそったもので中の湯量が多くゆったりつかる事が出来る。例えば連結調整パイプであり下方軸受け金具に配慮されたものである。浴槽内に組み付けられた部品はしっかりと櫓状態に組み込まれ浴槽内壁に収まっている状態で浴槽を疵つける事はない。【００１１】各部品はなるべく市販のステンレス材料を使うため清潔綺麗、掃除にあたっては板を上に上げはずすと中はねじ軸４本、上部に特殊角ナット連結パイプ４本と下部に連結調整パイプ４本を浴槽内面に沿ってあり、中は許す限りの空間の為掃除も楽に行える。
【考案を実施するための最良の形態】
【００１２】図２は浴槽を上から見た平面図である。
本考案の主力部品であるねじ軸７Ａ、１３、７Ｂ、７Ｂは４本で構成されている坐付締め付けナット１８Ａ、１８Ｂ、１８Ｃ、１８Ｃは４個である。
ウォームホイール１７、ウォーム１９はねじ軸７Ａの回転数を落とす為である。坐金１６Ａ、１６Ｂ、１６Ｂは３個である。小型モーター２０の一式は（減速機内蔵と取り付け金具）付きである。減速機の先端軸にウォーム１９の穴径を合わせ圧入し固定する。小型モーター２０の取り付け金具は上部軸固定板１４Ａにねじで固定する事になっている。【００１３】再び図２の説明である。上部軸固定板１４Ａは固定板取り付け用アングル１２（図４参照）にねじ２１の２個で固定する事になっている。板１０は身体障害者が乗る板である。（図６、図５参照）板の滑り止め１０ａ、１０ｂ、１０ｃ、１０ｄが板１０の裏に取り付けられている。板の裏には特殊角ナット連結パイプ９Ａが２本、９Ｂが２本計４本のパイプが板１０を受けて支えている。（図１２参照）上部軸固定板１４Ｂ、１４Ｃ、１４Ｃ３個もそれぞれ上記固定板取り付け用アングル１２にねじ２１の２個宛で固定する事になっている。【００１４】図１は浴槽内の構造を示すための図２のＡ−Ａ断面図である。下方軸受け金具１Ａ、１Ｂはねじ軸受けメタル３Ａ、３Ｂを圧入内蔵しＲ部１ａ，１ａは浴槽底部のＲ部に密着させる。下方軸受け金具１Ａには直交したねじが１本ずつ２本付いている。（図３、図８（ａ）参照）１Ａのねじ１ｂは右ねじ、１Ｂのねじ１ｃは左ねじで部品は同じ物であるがＲの位置の相違によりねじ１Ｃに入れ替わる。パイプ固定リング２４は右ねじで連結調整パイプ２Ｂの２ａは右ねじであり２ｂは左ねじである。上記連結調整パイプ２Ｂは右へ廻すと下方軸受け金具１Ａと１Ｂの距離が短くなる。左へ廻すと上記下方軸受け金具１Ａと１Ｂの距離が長くなる。【００１５】このようにして浴槽の四隅のＲ部分に下方軸受け棚具１Ａ、１Ｂ、１Ｃ、１Ｃがしっかり密着し許す限りの内部空間が広くなる。この事は本考案のもっとも意とする処である。尚、浴槽は形により抽出製造するもので温度変化の歪みもあり全部一定寸法とは云えない。其の時寸法不揃いにも差し支えない構造である。浴槽と前記下方軸受け金具１Ａ、１ＢのＲ部の密着を確認しパイプ固定リング２４を左に廻すとリング端と連結調整パイプ２Ｂの２ａの端面摩擦で固定される。【００１６】図１に示す特殊角ナット８Ａと特殊角ナット８Ｂの組み付けは（パイプ固定リング２４）と特殊角ナット８Ａの直交する（ねじの８ｂ）と特殊角ナット連結パイプ９Ａの（ねじ９ａ）で全部右ねじである。又特殊角ナット８Ｂの直交する（ねじ８ｃ）と特殊角ナット連結パイプ９Ａの（ねじ９ｂ）は左ねじで組み付けられている。【００１７】図３は回転するねじ軸（ａ）の７Ａ、（ｂ）の１３、（ｃ）の７Ｂ、（ｃ）の７Ｂの４本の分解図である。図３（ｃ）のねじ軸７Ｂは２本で同じ物である。上記ねじ軸７Ａ、１３、７Ｂ、７Ｂの４本は同じ回転である。その内の２本のねじ軸（ｃ）の７Ｂが含まれている。図３（ａ）のねじ軸７Ａはウォームホイール１７が組み込まれ小型モーター２０がつく軸である。図３（ｂ）のねじ軸１３は市販のハンドルをつけて廻せば手でも廻して４軸同時回転が出来る。その時は小型モーター２０を切り離す。普通は小型モーター２０の運転である。【００１８】下方軸受け金具組み付け品（図１１参照）を一番下にして坐金４Ａ、４Ｂ、４Ｃ、４Ｃを載せスプロケット５Ａ、５Ｂ、５Ｃ、５Ｃをねじ軸７Ａ、１３、７Ｂ、７Ｂと組み立て特殊角ナット組み付け品に（図１２参照）ねじ７Ａ、１３、７Ｂ、７Ｂは螺合しジャバラ１１Ａ、１１Ｂ、１１Ｃ、１１Ｃを付けた上部固定板１４Ａ、１４Ｂ、１４Ｃ、１４Ｃにねじ軸受けメタル１５Ａ、１５Ｂ、１５Ｃ、１５Ｃを圧入しねじ軸７Ａにはウォールホイール１７を通し固定しねじ軸１３、７Ｂ、７Ｂの３軸には坐金１６Ａ、１６Ｂ、１６Ｂを通し坐付き締め付けナット１８Ａ、１８Ｂ、１８Ｃ、１８Ｃを締め付ける。【００１９】図４は固定板取り付け用アングル１２である。浴槽の縁に上から嵌め込むアングル１２の枠で四隅には上部固定板１４Ａ、１４Ｂ、１４Ｃ、１４Ｃ取り付け用のめねじ２個宛計８個がある。図５は身体障害者が乗る板１０で特殊角ナット連結パイプ９Ａ、９Ａ、９Ｂ、９Ｂの４本のパイプで受けて支えられている。板滑り止め１０Ａ、１０Ｂ、１０Ｃ、１０Ｄは上記板１０の下側に付いており前記パイプ９Ａ、９Ａ、９Ｂ、９Ｂを掴んでいる。（図１、図２参照）。図６は図５の板１０の側面図である。【００２０】図７，図１１、図１２に示す各パイプのねじ方向は以下のとおりである。各２本の連結調整パイプ２Ａ、２Ｂは２ａが右ねじ２ｂが左ねじであり、各２本の特殊角ナット連結パイプ９Ａ、９Ｂは９ａが右ねじ９ｂが左ねじである。また図８、図９、図１１、１２に示す各金具及びナットのねじ方向は以下のとおりである。４個の下方軸受け金具１Ａ、１Ｂ、１Ｃ、１Ｃは１ｂが右ねじ１ｃが左ねじであり、４個の特殊角ナット８Ａ、８Ｂ、８Ｃ、８Ｃは８ｂが右ねじ８Ｃが左ねじである。図１０は図４のＢ−Ｂ切断面である。【００２１】図１１は下方軸受け金具１Ａ、１Ｂ、１Ｃ、１Ｃの組み立て図である。パイプ固定リング２４のあるところはすべて右ねじである。例えば下方軸受け金具１Ａのパイプ固定リング２４のあるところのねじは右ねじであり、連結調整パイプ２Ｂの２ａと下方軸受け金具１Ａの直交する１ｂも図面にある通り右ねじである。又他方端ねじ１ｃと２ｂは図面通り螺合していて左ねじである。以下すべて連結調整パイプ２Ａ、２Ｂ、２Ａでも判断出来る。【００２２】図１２は特殊角ナット８Ａ、８Ｂ、８Ｃ、８Ｃの組み立て図である。下方軸受け金具１Ａ、１Ｂ、１Ｃ、１Ｃの組み立てと殆ど同じである。本体形状が少し違うだけで直交するねじの寸法・ねじの山数も同じである。（図８・図９参照）組み立て方もおなじである。パイプ固定リング２４の螺号する処、例えば特殊角ナット８Ａの場合２４、８ｂ、９ａはすべて右ねじであり他方端の（８Ｂ）の９ｂと８ｃは螺合していて左ねじである。他の特殊角ナット８Ｂも８Ａも８Ｃも特殊角ナット連結パイプ９Ｂ、９Ａ、９Ｂも同じである。【００２３】次に特殊角ナット８Ａ、８Ｂ、８Ｃ、８Ｃと特殊角ナット連結パイプ９Ａ、９Ａ、９Ｂ、９Ｂの組み立て品にねじ軸７Ａ、１３、７Ｂ、７Ｂを螺号させる。特殊角ナット８Ａにはねじ軸７Ａを特殊角ナット８Ｂにはねじ軸１３を特殊角ナット８Ｃにはねじ軸７Ｂを特殊角ナット８Ｃにはねじ軸７Ｂを螺合させる。ねじ軸のねじ上端部より任意の位置迄下げる。一定寸法に揃える。（図３参照）【００２４】ねじ軸の組み立て、スプロケットとはローラーチェーンのローラーが嵌る歯形で出来た歯車である。スプロケット５Ａ、５Ｂ、５Ｃ、５Ｃをねじ軸７Ａ、１３、７Ｂ、７Ｂのねじ下方端面に嵌入当て込みねじで固定する。坐金４Ａ、４Ｂ、４Ｃ、４Ｃをねじ軸受けメタル３Ａ、３Ｂ、３Ｃ、３Ｃの上に置きねじ軸７Ａ、１３、７Ｂ、７Ｂ４本を下方端から坐金の穴に通し上記ねじ受けメタル３Ａ、３Ｂ、３Ｃ、３Ｃの穴に入れる。【００２５】ねじ軸上部の組み立て、上部軸固定板１４Ａ、１４Ｂ、１４Ｃ、１４Ｃの上面より。ねじ軸受けメタル１５Ａ、１５Ｂ、１５Ｃ、１５Ｃの円筒を下にして圧入する。又上部軸固定板の裏にはジャバラ１１Ａ、１１Ｂ、１１Ｃ、１１Ｃを取り付ける。ねじ軸７Ａ、１３、７Ｂ、７Ｂの上端部の棒状の軸径が前記ねじ軸受けメタルの内径と一緒である。ねじ軸受けメタル１５Ａ、１５Ｂ、１５Ｃ、１５Ｃに上記ねじ軸をそれぞれ通す。【００２６】固定板取材用アングル１２にそれぞれ上記上部軸固定板１４Ａ、１４Ｂ、１４Ｃ、１４Ｃをねじ２１で固定する。ねじ軸７Ａ上部にウォームホイール１７を取り付け坐付締め付けナット１８Ａで固定する。坐金１６Ａはねじ軸１３に通し坐付締め付けナットで固定する。ナット上に出ている上端の四角の部分は市販のハンドルを付けてねじ軸１３を廻す。ねじ軸７Ｂの２軸は坐金１６Ｂ、１６Ｂ、をそれぞれの軸に通し坐付締め付けナット１８Ｃ、１８Ｃをそれぞれ締め付け固定する。【００２７】上部軸固定板１４Ａは固定板取り付け用アングル１２にねじ２１の２個で固定する。上記上部軸固定板１４Ｂもアングル１２にねじ２１の２個で固定する。同様に上部軸固定板１４Ｃ、１４Ｃの２個もそれぞれ上記アングル１２にねじ２１の２個で固定する。小型モーター２０付きの取り付け金具は上部軸固定板１４Ａに乗せウォームホイール１７の歯底にウォーム１９のねじ山がはまる様又滑動する様に調節してねじで固定する。最後にスプロケット５Ａ、５Ｂ、５Ｃ、５Ｃ４個にローラーチェーンを取り付ける。【００２８】次に全体の使用の仕方について以下のとおりの説明をする。図１の板１０を最上段迄モーターによって上げる。身体障害者は浴槽を背にして立って浴槽の縁に腰をかける。此の時段差をゴムマットでカバーする。足を上げて腰をひねり長手方向に向きを変える。姿勢は足を伸ばし浴槽の大きさによるが出来るだけ身体をのばす。モーターのスイッチで下がるボタンを押すとねじ軸が左回転でゆっくりと板１０が下がる最下位で止まる。ゆっくり湯につかり体を温める。手足を伸ばす。温まったら体を動かすもよし洗うもよし、途中迄あがり湯のない所でリハビリもよし、看護者がいたら手伝うもよし、再び湯につかり体を温め十分温まったら最上段迄上がり湯の切れた所で板の上でタオルを使い体を拭く。今度も体の向きを９０度変えるため腰をひねり腰掛け状態になり足をつけて立つ。モーター操作ボタンにて任意の動きになる様、電機操作が出来る。
【図面の簡単な説明】
【００２９】
【図１】本考案の浴槽の縦断面図であって、図２のＡ−Ａ断面図である
【図２】浴槽を上から見た平面図である
【図３】浴槽に組み込まれるねじ軸とその付属部品を示す断面図である
【図４】図１に示すアングル部の平面図である
【図５】浴槽で人を乗せる板の平面図である
【図６】図５の側面図である
【図７】連結調整パイプと特殊角ナット連結パイプとの側面図である
【図８】下方軸受け金具と特殊角ナットとの平面図である
【図９】図８の側面図である
【図１０】図４のＢ−Ｂ断面図である
【図１１】下方軸受け金具の組み立て図である
【図１２】特殊角ナットの組み立て図である
【符号の説明】
【００３０】１Ａ  下方軸受け金具
１Ｂ  下方軸受け金具
１Ｃ  下方軸受け金具
２Ａ  連結調整パイプ
２Ｂ  連結調整パイプ
３Ａ  ねじ軸受けメタル
３Ｂ  ねじ軸受けメタル
３Ｃ  ねじ軸受けメタル
４Ａ  座金
４Ｂ  座金
４Ｃ  座金
５Ａ  スプロケット
５Ｂ  スプロケット
５Ｃ  スプロケット
６    ローラーチェーン
７Ａ  ねじ軸
７Ｂ  ねじ軸
８Ａ  特殊角ナット
８Ｂ  特殊角ナット
８Ｃ  特殊角ナット
９Ａ  特殊角ナット連結パイプ
９Ｂ  特殊角ナット連結パイプ
１０  板
１０Ａ  板滑り止め
１０Ｂ  板滑り止め
１０Ｃ  板滑り止め
１０Ｄ  板滑り止め
１１Ａ  ジャバラ
１１Ｂ  ジャバラ
１１Ｃ  ジャバラ
１２    固定板取り付け用アングル
１３    ねじ軸
１４Ａ  上部軸固定板
１４Ｂ  上部軸固定板
１４Ｃ  上部軸固定板
１５Ａ  ねじ軸受けメタル
１５Ｂ  ねじ軸受けメタル
１５Ｃ  ねじ軸受けメタル
１６Ａ  座金
１６Ｂ  座金
１７    ウォームホイール
１８Ａ  坐付締め付けナット
１８Ｂ  坐付締め付けナット
１８Ｃ  坐付締め付けナット
１９    ウォーム
２０    小型モーター一式（減速機内蔵取り付け金具）
２１    ねじ
２２    めねじ
２３    浴槽
２４    パイプ固定リング
【図１】
0003121280.tif 000003
【図２】
0003121280.tif 000004
【図３】
0003121280.tif 000005
【図４】
0003121280.tif 000006
【図５】
0003121280.tif 000007
【図６】
0003121280.tif 000008
【図７】
0003121280.tif 000009
【図８】
0003121280.tif 000010
【図９】
0003121280.tif 000011
【図１０】
0003121280.tif 000012
【図１１】
0003121280.tif 000013
【図１２】
0003121280.tif 000014